(57)【特許請求の範囲】
【請求項１】
ネットワーク間の通信を行うために互いに対向して複数の伝送路によって接続された２つの伝送装置からなる伝送システムであって、
一方の前記伝送装置は、
前記複数の伝送路を介して前記一方の伝送装置に接続されるネットワークから他方の前記伝送装置へ又は前記他方の伝送装置から前記一方の伝送装置に接続されるネットワークへ主信号を転送する網インタフェース部と、
前記複数の伝送路のうち１つの前記伝送路を選択して前記他方の伝送装置との間でインバンド通信を確立する切替部と、
前記他方の伝送装置の動作状態の情報を前記複数の伝送路それぞれを転送する前記他方の伝送装置からの前記主信号から抽出する抽出部と、
抽出した前記他方の伝送装置の動作状態の情報に基づいて前記他方の伝送装置の動作状態を監視する制御部とを備え、
前記他方の伝送装置は、
前記複数の伝送路を介して前記一方の伝送装置から前記他方の伝送装置に接続されるネットワークへ又は前記他方の伝送装置に接続されるネットワークから前記一方の伝送装置へ前記主信号を転送する網インタフェース部と、
前記他方の伝送装置の動作状態を調べる解析部と、
前記他方の伝送装置の動作状態の情報を前記複数の伝送路それぞれを転送し前記一方の伝送装置へ向かう前記主信号に付加する付加部とを備え、
前記制御部は、
前記他方の伝送装置の動作状態に基づいて、前記切替部によって選択された前記伝送路において障害が発生したか否かを判定し、前記判定結果に応じて前記切替部に対して正常に動作している他の前記伝送路に切り替えさせて前記インバンド通信を行う
ことを特徴とする伝送システム。
【請求項２】
請求項１に記載の伝送システムにおいて、
前記付加部は、前記他方の伝送装置の動作状態の情報を前記一方の伝送装置に向かう前記主信号のＳＤＨ方式のフレームのオーバーヘッドに付加し、
前記抽出部は、前記他方の伝送装置からの前記主信号のＳＤＨ方式のフレームのオーバーヘッドから前記他方の伝送装置の動作状態の情報を抽出する
ことを特徴とする伝送システム。
【請求項３】
請求項１又は請求項２に記載の伝送システムにおいて、
前記制御部は、前記他方の伝送装置の動作状態を監視するとともに、前記一方の伝送装置の動作状態を調べ、前記一方の伝送装置と前記他方の伝送装置との動作状態に基づいて、前記切替部によって選択された前記伝送路において障害が発生したか否かを判定する
ことを特徴とする伝送システム。
【請求項４】
請求項１ないし請求項３のいずれか１項に記載の伝送システムにおいて、
前記２つの伝送装置は、波長分割多重装置であることを特徴とする伝送システム。
【請求項５】
ネットワーク間の通信を行うために互いに対向して複数の伝送路によって接続された２つの伝送装置のうち、他方の前記伝送装置の動作状態の情報を受信する伝送装置であって、
前記複数の伝送路を介して自装置に接続されるネットワークから前記他方の伝送装置へ又は前記他方の伝送装置から前記自装置に接続されるネットワークへ主信号を転送する網インタフェース部と、
前記複数の伝送路のうち１つの前記伝送路を選択して前記他方の伝送装置との間でインバンド通信を確立する切替部と、
前記他方の伝送装置の動作状態の情報を前記複数の伝送路それぞれを転送する前記他方の伝送装置からの前記主信号から抽出する抽出部と、
抽出した前記他方の伝送装置の動作状態の情報に基づいて前記他方の伝送装置の動作状態を監視する制御部とを備え、
前記制御部は、
前記他方の伝送装置の動作状態に基づいて、前記切替部によって選択された前記伝送路において障害が発生したか否かを判定し、前記判定結果に応じて前記切替部に対して正常に動作している他の前記伝送路に切り替えさせて前記インバンド通信を行う
ことを特徴とする伝送装置。
【請求項６】
ネットワーク間の通信を行うために互いに対向して複数の伝送路によって接続された２つの伝送装置のうち、一方の前記伝送装置へ自装置の動作状態の情報を通知する伝送装置であって、
前記複数の伝送路を介して前記一方の伝送装置から前記自装置に接続されるネットワークへ又は前記自装置に接続されるネットワークから前記一方の伝送装置へ主信号を転送するとともに、前記一方の伝送装置との間でインバンド通信を行う網インタフェース部と、
前記自装置の動作状態を調べる解析部と、
前記自装置の動作状態の情報を前記複数の伝送路それぞれを転送し前記一方の伝送装置へ向かう前記主信号に付加する付加部と、
を備えることを特徴とする伝送装置。
【請求項７】
ネットワーク間の通信を行うために互いに対向して複数の伝送路によって接続された２つの伝送装置からなる伝送システムにおける伝送方法であって、
一方の前記伝送装置は、前記複数の伝送路のうち１つの前記伝送路を選択して他方の前記伝送装置との間でインバンド通信を確立するステップと、
前記他方の伝送装置は、自装置の動作状態を調べるステップと、
前記他方の伝送装置は、前記自装置の動作状態の情報を前記複数の伝送路それぞれを転送し前記一方の伝送装置へ向かう主信号に付加するステップと、
前記一方の伝送装置は、前記他方の伝送装置の動作状態の情報を前記複数の伝送路それぞれを転送する前記他方の伝送装置からの前記主信号から抽出するステップと、
前記一方の伝送装置は、抽出した前記他方の伝送装置の動作状態の情報に基づいて前記他方の伝送装置の動作状態を監視するステップと、
前記一方の伝送装置は、前記他方の伝送装置の動作状態に基づいて、選択した前記伝送路において障害が発生したか否かを判定し、前記判定結果に応じて正常に動作している他の前記伝送路に切り替えて前記インバンド通信を行うステップと、
を備えることを特徴とする伝送方法。
【発明の詳細な説明】
【技術分野】
【０００１】
本発明は、ネットワーク間の通信において発生した障害を回避することのできる伝送システム、伝送装置及び伝送方法に関する。
【背景技術】
【０００２】
従来、伝送装置の制御／監視は、イーサネットフレームを用いたイーサネットワークで行われる。伝送装置又は回線上で障害が発生した場合、その伝送装置がイーサネットワークと直接接続されている場合であれば、伝送装置を直接操作することにより障害の回避が行われた。一方、伝送装置にイーサネットワーク経由で接続できない場合には、人が伝送装置まで直接出向いていた。或いは、伝送装置間を接続する複数の回線のうち１つを用い、スパニングツリー又はラピッドスパニングツリーのプロトコルを利用して、障害の回避を行っていた（例えば、特許文献１参照）。
【特許文献１】特開２００５−１０２０１２号公報
【発明の開示】
【発明が解決しようとする課題】
【０００３】
しかしながら、山奥等に設置された伝送装置に対して、直接イーサネットワークを接続することは困難であった。障害が発生した場合には、人が直接出向く必要があるが、障害を回避するまでに時間がかかっていた。
【０００４】
また、従来技術の伝送装置間を接続する複数の伝送路の１つをイーサネットワーク用に用いて、障害を回避する方法では、伝送装置間の主信号を転送する１回線を占有するため回線収容効率が悪くなるという問題があった
一方、スパニングツリーの場合、障害発生から正常な回線へ切り替えるまで時間がかかった。また、切替時間を改善したラピッドスパニングツリーの場合でも、障害発生時にＬＩＮＫ断を検出させないと迅速に切り替えることができないため、イーサネットワークを終端しない構造の伝送路をつくる必要があった。
【０００５】
上記従来技術が有する問題に鑑み、本発明の目的は、ネットワーク間の回線収容効率を悪化させることなく、伝送中に発生した障害を短時間に回避することができる技術を提供することにある。
【課題を解決するための手段】
【０００６】
上述した課題を解決するために、この発明は、ネットワーク間の通信を行うために互いに対向して複数の伝送路によって接続された２つの伝送装置からなる伝送システムであって、一方の伝送装置は、複数の伝送路を介して一方の伝送装置に接続されるネットワークから他方の伝送装置へ又は他方の伝送装置から一方の伝送装置に接続されるネットワークへ主信号を転送する網インタフェース部と、複数の伝送路のうち１つの伝送路を選択して他方の伝送装置との間でインバンド通信を確立する切替部と、他方の伝送装置の動作状態の情報を複数の伝送路それぞれを転送する他方の伝送装置からの主信号から抽出する抽出部と、抽出した他方の伝送装置の動作状態の情報に基づいて他方の伝送装置の動作状態を監視する制御部とを備え、他方の伝送装置は、複数の伝送路を介して一方の伝送装置から他方の伝送装置に接続されるネットワークへ又は他方の伝送装置に接続されるネットワークから一方の伝送装置へ主信号を転送する網インタフェース部と、他方の伝送装置の動作状態を調べる解析部と、他方の伝送装置の動作状態の情報を複数の伝送路それぞれを転送し一方の伝送装置へ向かう主信号に付加する付加部とを備える。さらに、制御部は、他方の伝送装置の動作状態に基づいて、切替部によって選択された伝送路において障害が発生したか否かを判定し、判定結果に応じて切替部に対して正常に動作している他の伝送路に切り替えさせてインバンド通信を行う。
【０００７】
この発明において、付加部は、他方の伝送装置の動作状態の情報を一方の伝送装置に向かう主信号のＳＤＨ方式のフレームのオーバーヘッドに付加し、抽出部は、他方の伝送装置からの主信号のＳＤＨ方式のフレームのオーバーヘッドから他方の伝送装置の動作状態の情報を抽出する。
【０００８】
この発明において、制御部は、他方の伝送装置の動作状態を監視するとともに、一方の伝送装置の動作状態を調べ、一方の伝送装置と他方の伝送装置との動作状態に基づいて、切替部によって選択された伝送路において障害が発生したか否かを判定する。
【０００９】
この発明において、２つの伝送装置は、波長分割多重装置である。
【００１０】
また、この発明は、ネットワーク間の通信を行うために互いに対向して複数の伝送路によって接続された２つの伝送装置のうち、他方の伝送装置の動作状態の情報を受信する伝送装置であって、複数の伝送路を介して自装置に接続されるネットワークから他方の伝送装置へ又は他方の伝送装置から自装置に接続されるネットワークへ主信号を転送する網インタフェース部と、複数の伝送路のうち１つの伝送路を選択して他方の伝送装置との間でインバンド通信を確立する切替部と、他方の伝送装置の動作状態の情報を複数の伝送路それぞれを転送する他方の伝送装置からの主信号から抽出する抽出部と、抽出した他方の伝送装置の動作状態の情報に基づいて他方の伝送装置の動作状態を監視する制御部とを備える。さらに、制御部は、他方の伝送装置の動作状態に基づいて、切替部によって選択された伝送路において障害が発生したか否かを判定し、判定結果に応じて切替部に対して正常に動作している他の伝送路に切り替えさせてインバンド通信を行う。
【００１１】
また、この発明は、ネットワーク間の通信を行うために互いに対向して複数の伝送路によって接続された２つの伝送装置のうち、一方の伝送装置へ自装置の動作状態の情報を通知する伝送装置であって、複数の伝送路を介して一方の伝送装置から自装置に接続されるネットワークへ又は自装置に接続されるネットワークから一方の伝送装置へ主信号を転送するとともに、一方の伝送装置との間でインバンド通信を行う網インタフェース部と、自装置の動作状態を調べる解析部と、自装置の動作状態の情報を複数の伝送路それぞれを転送し一方の伝送装置へ向かう主信号に付加する付加部とを備える。
【００１２】
また、この発明は、ネットワーク間の通信を行うために互いに対向して複数の伝送路によって接続された２つの伝送装置からなる伝送システムにおける伝送方法であって、一方の伝送装置は、複数の伝送路のうち１つの伝送路を選択して他方の伝送装置との間でインバンド通信を確立するステップと、他方の伝送装置は、自装置の動作状態を調べるステップと、他方の伝送装置は、自装置の動作状態の情報を複数の伝送路それぞれを転送し一方の伝送装置へ向かう主信号に付加するステップと、一方の伝送装置は、他方の伝送装置の動作状態の情報を複数の伝送路それぞれを転送する他方の伝送装置からの主信号から抽出するステップと、一方の伝送装置は、抽出した他方の伝送装置の動作状態の情報に基づいて他方の伝送装置の動作状態を監視するステップと、一方の伝送装置は、他方の伝送装置の動作状態に基づいて、選択した伝送路において障害が発生したか否かを判定し、判定結果に応じて正常に動作している他の伝送路に切り替えてインバンド通信を行うステップとを備える。
【発明の効果】
【００１３】
本発明によれば、ネットワーク間の回線収容効率を悪化させることなく、伝送中に発生した障害を短時間に回避することができる。
【発明を実施するための最良の形態】
【００１４】
図１は、本発明の一の実施形態に係る伝送システムの概念図である。本実施形態では、図１に示すように、ネットワーク１ａと１ｂとの間において主信号を転送する、１対の伝送装置３ａ及び３ｂからなる伝送システムである。本実施形態では、伝送装置３ａ及び３ｂは、各ネットワーク１ａ及び１ｂの各々と４本の光ファイバの回線で接続され、主信号の転送を行う波長分割多重伝送（ＷＤＭ）装置である。伝送装置３ａと３ｂとの間は、１本の光ファイバで４つの波長で主信号の伝送を行うＷＤＭ回線１０で接続されている。本実施形態における主信号の転送方式は、ＳＤＨ（Ｓｙｎｃｈｒｏｎｕｏｓ  Ｄｉｇｉｔａｌ  Ｈｉｅｒａｒｃｈｙ）方式によるものとする。ＳＤＨ方式では、図２に示すような構造を持つフレーム２０を用いて主信号の転送が行われる。フレーム２０は、オーバーヘッド２１と主信号が書き込まれるペイロード２２からなる。
【００１５】
伝送装置３ａは、入出力インタフェース（Ｉ／Ｆ）４ａ〜４ｄ、スイッチング部５、記憶装置６、制御部７及び多重／分割部８を有する。さらに、伝送装置３ａには、伝送装置３ａ及び３ｂの動作状態をユーザが確認できる形式で表示したり、ユーザからの指令を受け付けるための端末２がイーサネットワーク回線で接続される。端末２には、一般的なワークステーションやパソコン等を用いることができる。
【００１６】
入出力Ｉ／Ｆ４ａ〜４ｄは、ネットワーク１ａと伝送装置３ｂとの間において主信号を転送する４本の回線にそれぞれ接続される網インタフェースである。
【００１７】
スイッチング部５は、レイヤ２スイッチ等のスイッチである。本実施形態では、スイッチング部５は、イーサネットワークのパケットストーム等を起こさず、且つ伝送装置３ｂへのインバンド通信するために、制御部７からの指令に基づいて、入出力Ｉ／Ｆ４ａ〜４ｄのうち１つを選択し切り替える。
【００１８】
記憶装置６は、制御部７が伝送装置３ａを制御する制御プログラムや伝送装置３ａ及び３ｂの動作状態に関する履歴のデータベース等を記憶する。記憶装置６に記憶されるプログラムやデータは、制御部７から適宜参照することができる。記憶装置６は、フラッシュメモリ（flash memory）やＥＥＰＲＯＭ（Electrically Erasable Programmable Read-Only Memory）等を選択して用いることができる。
【００１９】
制御部７は、伝送装置３ａの動作を制御するとともに、スイッチング部５を介して、伝送装置３ａ又は３ｂの動作状態を監視し、何らかの障害が発生した場合には回避する作業を行う。制御部７には、一般的なＣＰＵ等を用いることができる。
【００２０】
多重／分割部８は、ネットワーク１ａからの主信号を４つの波長で多重してＷＤＭ回線１０に送信したり、ＷＤＭ回線１０からの光信号を４つの波長に分割する。
【００２１】
一方、伝送装置３ｂは、入出力Ｉ／Ｆ４ｅ〜４ｈ、多重／分割部１１、スイッチング部１２及び制御部１３を有する。
【００２２】
入出力Ｉ／Ｆ４ｅ〜４ｈは、ネットワーク１ｂと伝送装置３ａとの間において主信号を転送する４本の回線にそれぞれ接続される網インタフェースで、入出力Ｉ／Ｆ４ａ〜４ｄと同じである。
【００２３】
多重／分割部１１は、多重／分割部８と同様に、ネットワーク１ｂからの主信号を４つの波長で多重してＷＤＭ回線１０に送信したり、ＷＤＭ回線１０からの光信号を４つの波長に分割する。
【００２４】
スイッチング部１２は、スイッチング部５と同様にレイヤ２スイッチ等である。スイッチング部１２は、制御部１３からの指示に従って入出力Ｉ／Ｆ４ｅ〜４ｈの全ポートへ繋ぐ。本実施形態において、制御部１３は、解析した伝送装置３ｂの動作状態の情報を、４本全てのオーバーヘッドに付加して伝送装置３ａへインバンド通信で転送する。これにより、何らかの障害が発生しても、確実に伝送装置３ｂの動作状態が伝送装置３ａに転送される。また、伝送装置３ａのスイッチング部５は１つの入出力Ｉ／Ｆを選択し、スイッチング部１２は全ての入出力Ｉ／Ｆ４ｅ〜４ｈを選択して、伝送装置３ａと３ｂとの間のイーサネットワークをループ構成とせずにインバンド通信を確立することから、パケットストーム等を事前に回避することができる。
【００２５】
制御部１３は、伝送装置３ｂの動作を制御するとともに、伝送装置３ｂの動作状態を解析して制御部７に転送する。制御部１３には、制御部７と同様に一般的なＣＰＵ等を用いることができる。なお、本実施形態において、制御部１３が伝送装置３ｂを制御し伝送装置３ｂの動作状態を解析するプログラムは、制御部１３が内部に備えるメモリや外部のメモリ（不図示）等に記憶されており、伝送装置３ｂの起動時に、制御部１３がそのプログラムを読み込んで実行するものとする。
【００２６】
次に、図３は、各入出力Ｉ／Ｆ４ａ〜４ｈの構成を示し、Ｏ／Ｅ変換部４１、Ｆｉｅｌｄ  Ｐｒｏｇｒａｍｍａｂｌｅ  Ｇａｔｅ  Ａｒｒａｙ（ＦＰＧＡ）４２及びＰＨＹ部４３を有する。
【００２７】
Ｏ／Ｅ変換部４１は、光信号から電気信号又は電気信号から光信号に変換する。
【００２８】
ＦＰＧＡ４２は、ユーザが独自のプログラムを書き込むことの出来るゲートアレイである。本実施形態におけるＦＰＧＡ４２は、制御部７又は１３からのコマンドやデータを有するイーサネットフレームをＰＨＹ部４３を介して受信して、所定のバイト数（本実施形態では２バイト）ずつ分解する。ＦＰＧＡ４２は、対向する伝送装置３ａ又は３ｂへ向かう主信号のＳＤＨ方式の各フレーム２０のオーバーヘッド２１のうち、ＡＵポインタの領域以外の２バイト分の領域２３に、分割したイーサネットフレームの２バイトを書き込み、対向する伝送装置３ａ又は３ｂへフレーム２０を転送する。また、ＦＰＧＡ４２は、対向する伝送装置３ａ又は３ｂからの主信号であるフレーム２０のオーバーヘッド２１にある領域２３から、２バイトずつ抽出し１つのイーサネットフレームを再構築する。ＦＰＧＡ４２は、ＰＨＹ部４３を介して制御部７又は１３に送信する。
【００２９】
さらに、伝送装置３ｂのＦＰＧＡ４２は、ＰＨＹ部４３を経由せず、制御部１３から伝送装置３ｂの動作状態の情報を直接受信して、対向する伝送装置３ａへ向かう主信号の各フレーム２０のオーバーヘッド２１のうち、領域２３とは異なるオーバーヘッド２１にある領域２４に書き込み、伝送装置３ａへフレーム２０を転送する。一方、伝送装置３ａのＦＰＧＡ４２は、対向する伝送装置３ｂからの主信号のオーバーヘッド２１にある領域２４から、伝送装置３ｂの動作状態の情報を抽出する。伝送装置３ａのＦＰＧＡ４２は、ＰＨＹ部４３を経由せずに、制御部７に伝送装置３ｂの動作状態の情報を直接送信する。したがって、このようなＦＰＧＡ４２の動作により、伝送装置３ａと３ｂとの間をインバンド通信するために、主信号を転送する回線の１つを専用に用いる必要が無くなる。
【００３０】
ＰＨＹ部４３は、スイッチング部５又は１２とＦＰＧＡ４２との間でやり取りするイーサネットフレームのデジタル信号の波形を整える。
【００３１】
次に、図１の伝送システムにおける本実施形態に係る伝送装置３ａ及び３ｂの動作について、図４のフローチャートに基づいて説明する。
【００３２】
ユーザが、伝送装置３ａ及び３ｂの電源を入力すると、制御部７は記憶装置６より伝送装置３ａの制御プログラムを、制御部１３はメモリ（不図示）から伝送装置３ｂの制御プログラムをそれぞれ読み込み実行する。制御部７はステップＳ１０１からステップＳ１０４までの作業を、制御部１３はステップＳ１０１の作業をそれぞれ所定の時間間隔（本実施形態では１０ミリ秒）で行う。なお、本実施形態では、制御部７は、入出力Ｉ／Ｆ４ａに接続されている回線を使って、伝送装置３ｂへのインバンド通信する。つまり、制御部７は、スイッチング部５に対し、入出力Ｉ／Ｆ４ａを選択し切り替える指示を出す。
【００３３】
ステップＳ１０１：制御部７は、伝送装置３ａ及び３ｂの動作状態の情報を取得する。制御部７は、例えば、各入出力Ｉ／Ｆ４ａ〜４ｄが故障しているか否か、スイッチング部５と各入出力Ｉ／Ｆ４ａ〜４ｄとの間のリンクが正常であるか否か、或いは伝送装置３ａと３ｂとの間で回線断が生じているか否か等の伝送装置３ａの動作状態を調べる。
【００３４】
一方、制御部１３は、自ら１０ミリ秒の時間間隔で伝送装置３ｂの動作状態を解析する。制御部１３は、伝送装置３ｂの動作状態の情報を全入出力Ｉ／Ｆ４ｅ〜４ｈのＦＰＧＡ４２へ送信する。各入出力Ｉ／Ｆ４ｅ〜４ｈは、ＦＰＧＡ４２を介して、伝送装置３ａへ向かう主信号の各フレーム２０のオーバーヘッド２１にある領域２４に書き込んで転送する。伝送装置３ａの各入出力Ｉ／Ｆ４ａ〜４ｄは、転送されてきた各フレーム２０の領域２４から伝送装置３ｂの動作状態の情報を抽出して、制御部７へそれぞれ送信する。制御部７は、伝送装置３ｂの動作状態の情報を受信する。伝送装置３ｂの動作状態の情報は、全ての入出力Ｉ／Ｆ４ａ〜４ｄで受信されるので、伝送装置３ａとしては、任意の入出力Ｉ／Ｆから情報を取得することが可能であり、４重の信頼性がある。
【００３５】
ステップＳ１０２：制御部７は、伝送装置３ａ及び伝送装置３ｂの動作状態の情報を、記憶装置６の履歴のデータベースに登録保存する。
【００３６】
ステップＳ１０３：制御部７は、ステップＳ１０１で得た伝送装置３ａ及び３ｂの動作状態の情報に障害が発生していることを示す情報があるか否かを判定する。障害が発生していない場合（ＮＯ側）には、一連の作業を終了する。一方、障害が発生していた場合（ＹＥＳ側）には、制御部７は、その警報を端末２のモニタに表示させるとともに、ステップＳ１０４へ移行する。
【００３７】
ここで、本実施形態において発生すると想定している障害として、例えば、入出力Ｉ／Ｆ４ａ〜４ｈの故障によるリンクダウンや、ＷＤＭ回線１０のいずれかの波長の回線の往路又は復路の障害等による回線切断等がある。
【００３８】
ステップＳ１０４：制御部７は、ステップＳ１０３で見つかった障害が、伝送装置３ａから伝送装置３ｂへのインバンド通信している、入出力Ｉ／Ｆ４ａと４ｅとの間で発生したものか否かについて判定する。障害が入出力Ｉ／Ｆ４ａと４ｅとの間で発生していない場合（ＮＯ側）には、インバンド通信のための回線を切り替えことなく、一連の作業を終了する。一方、障害が入出力Ｉ／Ｆ４ａと４ｅとの間で発生した場合（ＹＥＳ側）には、制御部７は、スイッチング部５に対して、障害が発生していない入出力Ｉ／Ｆ４ｂ〜４ｄのいずれかに切り替える指示を行い、障害を回避する。制御部７は、一連の作業を終了する。次の１０ミリ秒の時間が経過したら、制御部７及び１３は、再びステップＳ１０１からステップＳ１０４の作業を行う。
【００３９】
このように、本実施形態は、伝送装置３ｂの動作状態の情報を、転送される主信号の各フレーム２０のオーバーヘッド２１の一部に書き込んで転送することから、回線の一部を専用に用いること無く、伝送システムにおいて発生した障害を回避することができる。
【００４０】
よって、ユーザは、端末２を用いて、伝送装置３ａ又は３ｂに確実にインバンド通信で接続でき、発生したその障害の復旧作業を行うことができる。
【００４１】
さらに、伝送装置３ａと３ｂとの間のインバンド通信を行うにあたり、スイッチング部５は、入出力Ｉ／Ｆ４ａ〜４ｄの１つを選択し、スイッチング部１２は、入出力Ｉ／Ｆ４ｅ〜４ｈの全てを用いることから、対向する伝送装置３ａと３ｂとの間で発生した障害を短い時間で確実に回避することが可能となる。
≪実施形態の補足事項≫
本実施形態では、伝送装置３ａ及び３ｂからなる一対の伝送システムについて説明したが、本発明はこれに限定されない。例えば、図５に示すように、伝送装置３ａと３ｂとを多段に接続して用いても良い。図５の２段接続の場合では、伝送装置３ａ−１と３ｂ−１及び伝送装置３ａ−２と３ｂ−２との一対それぞれにおいて、障害を回避する作業を行う。なお、伝送装置３ａ−１及び３ａ−２は、図１の伝送装置３ａと、伝送装置３ｂ−１及び３ｂ−２は、伝送装置３ｂとそれぞれ同じ構成を有する。ただし、伝送装置３ｂ−１と３ａ−２との間は４本の光ファイバの回線によって直接接続されるので、主信号はそれらの回線で転送される。また、伝送装置３ｂ−１と３ａ−２との間はイーサネットワーク回線でも接続されるので、インバンド通信のイーサネットフレームはそのイーサネットワーク回線によって転送される。なお、そのイーサネットワーク回線の一端は、伝送装置３ｂ−１のスイッチング部１２に、他端は伝送装置３ａ−２のスイッチング部５にそれぞれ接続され、伝送装置３ａ−１の制御部７及び伝送装置３ｂ−１の制御部１３の指示に基づいて、イーサネットフレームが相互に転送されるようにするのが好ましい。したがって、図５のような伝送システムにおいて、例えば、端末２のモニタに表示される伝送装置３ｂ−２の動作状態の情報は、伝送装置３ｂ−２から３ａ−２及び伝送装置３ｂ−１から３ａ−１へはＷＤＭ回線１０で、伝送装置３ａ−２から３ｂ−１へはイーサネットワーク回線でそれぞれインバンド通信によって転送される。
【００４２】
なお、本実施形態では、伝送装置３ａ及び３ｂの間をＷＤＭ回線１０で接続し、波長分割多重による方法で主信号を転送したが、本発明はこれに限定されない。入出力Ｉ／Ｆ４ａ〜４ｄと入出力Ｉ／Ｆ４ｅ〜４ｈとのそれぞれの間を光ファイバで独立に接続しても良い。
【００４３】
なお、本実施形態では、伝送装置３ａ及び３ｂは、ネットワーク１ａ及びネットワーク１ｂとそれぞれ４本の光ファイバの回線で接続するＷＤＭ装置としたが、本発明はこれに限定されず、例えば、８や１６本等の複数の光ファイバの回線で接続されるＷＤＭ装置を用いることができる。
【００４４】
なお、本実施形態では、ＦＰＧＡ４２は、イーサネットフレームを２バイトずつ分割してＳＤＨ方式のフレーム２０の領域２３に書き込んだり、又はフレーム２０の領域２３から２バイトずつ抽出してイーサネットフレームを再構築したが、本発明はこれに限定されない。ＦＰＧＡ４２は、任意のバイト数でイーサネットフレームを分割して、フレーム２０のオーバーヘッド２１の領域２３以外の領域に書き込んだり、又はフレーム２０のオーバーヘッド２１から抽出してイーサネットフレームを再構築しても良い。
【００４５】
なお、本実施形態では、伝送装置３ｂのＦＰＧＡ４２は、伝送装置３ｂの動作状態の情報をＳＤＨ方式のフレーム２０の領域２４に書き込み、伝送装置３ａのＦＰＧＡ４２は、フレーム２０の領域２４から伝送装置３ｂの動作状態の情報を抽出したが、本発明はこれに限定されない。フレーム２０のオーバーヘッド２１の領域２４以外の領域に、伝送装置３ｂの動作状態の情報を書き込んだり、又はフレーム２０のオーバーヘッド２１から抽出しても良い。
【００４６】
なお、本実施形態では、図４のフローチャートの作業を１０ミリ秒間隔で繰り返すとしたが、本発明はこれに限定に限定されない。制御部７及び１３に処理能力や伝送装置３ａ及び３ｂに要求される条件等によって決定するのが好ましい。
【００４７】
なお、本発明は、その精神又はその主要な特徴から逸脱することなく他の様々な形で実施することができる。そのため、上述した実施形態はあらゆる点で単なる例示に過ぎず、限定的に解釈してはならない。さらに、特許請求の範囲の均等範囲に属する変形や変更は、全て本発明の範囲内である。
【図面の簡単な説明】
【００４８】
【図１】本発明の一の実施形態に係る伝送システムの概念図
【図２】ＳＤＨ方式のフレーム２０の構造を示す図
【図３】入出力Ｉ／Ｆ４ａ〜４ｈの構成を示す図
【図４】本発明の一の実施形態に係る伝送システムの作業手順を示すフローチャート
【図５】図１の伝送システムを２段で接続した場合の図
【符号の説明】
【００４９】
１ａ、１ｂ  ネットワーク、２  端末、３ａ、３ｂ  伝送装置、４ａ〜４ｈ  入出力Ｉ／Ｆ、５、１２  スイッチング部、６  記憶装置、７、１３  制御部、８、１１  多重／分割部、１０  ＷＤＭ回線、２０  フレーム、２１  オーバーヘッド、２２ペイロード、２３、２４  領域、４１  Ｏ／Ｅ変換部、４２  ＦＰＧＡ、４３  ＰＨＹ部
【図１】
0004970336.tif 000002
【図２】
0004970336.tif 000003
【図３】
0004970336.tif 000004
【図４】
0004970336.tif 000005
【図５】
0004970336.tif 000006